(57)【要約】【課題】人体や環境に対する安全性が高く、特に夜間電力を利用した空調システムに利用でき、高い蓄熱効果を持ち、低価格で安い製造費の蓄冷剤を提供する。【解決手段】少なくとも１、６−ヘキサンジオール、塩化カルシウム（無水）、及び水によって形成される。また、各成分の含有量は、総重量に対して、１、６−ヘキサンジオールが６４．２〜７１．４重量％、塩化カルシウム（無水）が０．４〜２．３重量％、水が２８．２重量％〜３３．５重量％の範囲内であることが望ましい。さらに、周囲温度が２７℃の条件下で、蓄冷剤の温度が６℃から１２℃まで上昇する間の経過時間が１００ｇ当り１２０分以上であり、かつ、固化した蓄冷剤が液化開始する温度が３℃から７℃の範囲にある事が望ましい。【選択図】      なし【特許請求の範囲】
【請求項１】
少なくとも１，６−ヘキサンジオール、塩化カルシウム（無水）及び水を含有することを特徴とする蓄冷剤。
【請求項２】
総重量に対して、１，６−ヘキサンジオールが６４．２〜７１．４重量％の範囲内で含有されることを特徴とする請求項１記載の蓄冷剤。
【請求項３】
総重量に対して、塩化カルシウム（無水）が０．４〜２．３重量％の範囲内で含有されることを特徴とする請求項１又は２記載の蓄冷剤。
【請求項４】
総重量に対して、水が２８．２重量％〜３３．５％の範囲内であることを特徴とする請求項１，２又は３記載の蓄冷剤。
【請求項５】
周囲温度が２７℃の条件下で、蓄冷剤の温度が６℃から１２℃まで上昇する間の経過時間が１００ｇ当り１２０分以上であり、かつ、固化した蓄冷剤が液化を開始する温度が３℃から７℃の範囲にあることを特徴とする請求項１〜４のいずれか一つに記載の蓄冷剤。
【発明の詳細な説明】
【０００１】
【発明の属する技術分野】
本発明は、特に、エコアイス形空調をはじめとする蓄熱分野および食品流通に使用される蓄冷剤に関するものである。
【０００２】
【従来技術】
潜熱形蓄冷剤としては氷の他にハロゲン化炭化水素、炭素数２〜１０のアルコール、ケトン、エーテル、無機塩類の水溶液等（特許文献１）や１、６−ヘキサンジオール、安息香酸ナトリウムの水溶液（特許文献２）などがある。
【０００３】
従来の蓄冷剤の一つとして、本出願人は、特に、１，６−ヘキサンジオールと安息香酸ナトリウムに基づく表１で示す組成物について実験した。その結果を表２及び表３に示す。
【０００４】
【表１】
2004176020.tif 000002
【０００５】
【表２】
2004176020.tif 000003
【０００６】
【表３】
2004176020.tif 000004
【０００７】
上記表２及び表３からわかるように、１，６−ヘキサンジオールと安息香酸ナトリウムの割合を増加させても、蓄冷剤温度温度６℃から１２℃における１００ｇ当りの経過時間が１２０分／１００ｇ以上、液化開始温度が３℃以上という両方の条件を満足させるものは得られなかった。
【０００８】
【特許文献１】
特開昭６２−６２１９２号公報
【特許文献２】
特許第３３０７６２２号公報
【０００９】
【発明が解決しようとする課題】
したがって、本発明は、固化が３℃から７℃の範囲で終了し、蓄冷剤の温度において６℃から１２℃まで変化する時間が蓄冷剤１００ｇ当り１２０分以上の条件を満足する高潜熱、低価格なエコアイス形空調および食品流通用の蓄冷剤の提供を目的とする。
【００１０】
【課題を解決するための手段】
したがって、この発明の蓄冷剤は、少なくとも１，６−ヘキサンジオール、塩化カルシウム（無水）及び水を含有することにある。
【００１１】
また、総重量に対して、１，６−ヘキサンジオールが６４．２〜７１．４重量％、塩化カルシウム（無水）が０．４〜２．３重量％、水が２８．２重量％〜３３．５％の範囲内で含有されることが望ましい。また、１，６−ヘキサンジオールが６４．２〜７１．４重量％、塩化カルシウム（無水）が０．４〜２．３重量％の範囲内で含有され、残りの部分が水であっても良いものである。
【００１２】
さらに、周囲温度が２７℃の条件下で、蓄冷剤の温度が６℃から１２℃まで上昇する間の経過時間が１００ｇ当り１２０分以上であり、かつ、固化した蓄冷剤が液化を開始する温度が３℃から７℃の範囲にあることが望ましい。
【００１３】
【発明実施の形態】
本発明の蓄冷剤は、１，６−ヘキサンジオール（ａ）、塩化カルシウム（無水）（ｂ）及び水（ｃ）の３成分を適宜の割合で配合すれば得られる。ただし、６℃から１２℃の温度範囲における蓄熱効果の点からは、全体を１００重量％としたときに、（ａ）成分を６４．２〜７１．４重量％、（ｂ）成分を０．４〜２．３重量％の範囲内とし、残りが（ｃ）成分であるように配合することが好ましく、また、水が２８．５重量％〜３３．５重量％の範囲内であることが望ましい。
【００１４】
この配合比の範囲内では、周囲温度２７℃の条件下で、蓄冷剤の温度が６℃から１２℃まで変化する経過時間が蓄冷剤１００ｇ当り１２０分以上であり、かつ、固化した蓄冷剤が液化開始する温度が３℃から７℃の範囲にある優れた蓄熱効果を有する蓄冷剤を得ることができる。
【００１５】
各成分の配合割合が上記数値限定範囲を外れると蓄冷剤の温度範囲６℃から１２℃までの経過時間が１２０分以下になるが用途によっては十分使用可能である。
【００１６】
また、本発明の蓄冷剤には、本発明の効果を損なわない範囲で、必要に応じて、防腐剤、防錆剤、防菌剤、ｐＨ調整剤など当該技術分野において周知の各種添加剤を配合してもよい。
【００１７】
本発明の組成物である１，６−ヘキサンジオール（ａ）は潜熱が大きく、しかも急性経口毒性もＬＤ５０：３，７３０ｍｇ／ｋｇ（ラット）の値を示し、安全な組成物である。
【００１８】
また塩化カルシウム（無水）（ｂ）は食品添加物であって安全性が高く、１，６−ヘキサンジオール（ａ）の潜熱効果を促進させ、結果的に１，６−ヘキサンジオール（ａ）の割合を減少させ低価格な蓄冷剤の開発に大きく寄与している。また塩化カルシウム（ｂ）は、固化温度を３℃から７℃の範囲内で調節するのにも大きく関係し、従来の蓄冷剤に比べ蓄冷剤の溶解温度は低く、溶解時間も短かくなっている。
【００１９】
以下、実施例１〜８により本発明を具体的に説明する。ただし、本発明はこれら実施例に限定されるものではない。
【００２０】
表４は各実施例における（ａ）〜（ｃ）成分の配合量を示すものであり、各成分欄の数値は重量％である。実施例１〜８の蓄冷剤試料は１００ｍｌ入れのスクリュー管に水（ｃ）と塩化カルシウム（ｂ）と１，６−ヘキサンジオール（ａ）を下記する割合にて所定の量加えて密閉し、６０℃の温水中にスクリュー管を入れ振盪させながら溶解させた形成したものである。
【００２１】
【表４】
2004176020.tif 000005
【００２２】
また、表５は、各実施例における蓄冷剤温度変化の経過時間の測定値である。
温度測定は、外形３９．７ｍｍ、肉厚１．４ｍｍのスクリュー管に蓄冷剤を入れ、ＣＵＳＴＯＭ製ＣＴ−２３２０の熱電対温度計の熱電対センサー先端を蓄冷剤の中央部に設置して行った。時間測定は同熱電対温度計に内蔵されている積算形タイマーにより行った。また周囲温度の設定には恒温室を使用した。
【００２３】
【表５】
2004176020.tif 000006
【００２４】
【表６】
2004176020.tif 000007
【００２５】
上記表６は、各実施例の６℃から１２℃間における蓄例剤１００ｇ当りの経過時間と液化開始時間を表したものである。
【００２６】
【実施例】
（実施例１）
前記のようにして作製した実施例１の試料を、始め−７℃の恒温槽で固化させ、固化した後２７℃の恒温室で試料の温度が２℃上昇する毎に経過時間を測定した。１４℃までの測定結果は、表５に示される。この表５から分かるように、実施例１では６℃から１２℃までの経過時間は、表６において示されるように、１５９．７分／１００ｇである。またこのときの液化開始温度は５．０℃である。
【００２７】
（実施例２）
実施例２では、表６より、６℃から１２℃までの経過時間は１３７．７分／１００ｇである。またこのときの液化開始温度は２．９℃である。
【００２８】
（実施例３）
実施例３では、表６より、６℃から１２℃までの経過時間は１２０．８分／１００ｇである。またこのときの液化開始温度は３．２℃である。
【００２９】
（実施例４）
実施例４では、表６より、６℃から１２℃までの経過時間は１３５．６分／１００ｇである。またこのときの液化開始温度は２．９℃である。
【００３０】
（実施例５）
実施例５では、表６より、６℃から１２℃までの経過時間は１１９．０分／１００ｇである。またこのときの液化開始温度は３．１℃である。
【００３１】
（実施例６）
実施例６では、表６より、６℃から１２℃までの経過時間は１１２．９分／１００ｇである。またこのときの液化開始温度は２．９℃である。
【００３２】
（実施例７）
実施例７では、表６より、６℃から１２℃までの経過時間は１３６．３分／１００ｇである。またこのときの液化開始温度は２．８℃である。
【００３３】
（実施例８）
実施例８では、表６より、６℃から１２℃までの経過時間は１４８．５分／１００ｇである。またこのときの液化開始温度は７．０℃である。
【００３４】
以上の結果より蓄冷剤温度６℃から１２℃間における経過時間が１２０分／１００ｇ以上を満足し、かつ液化開始温度が３℃以上である蓄冷剤は実施例１，３，８である。
【００３５】
表４と表６を参照して実施例１と実施例２を検討すれば１，６−ヘキサンジオール（ａ）の上限割合は７１．４重量％であることが分かる。実施例３と実施例４を検討すれば１，６−ヘキサンジオール（ａ）の下限割合は６４．２重量％である。実施例３と実施例５を検討すれば塩化カルシウム（ｂ）の上限割合は２．３重量％である。実施例１と実施例６を検討すれば塩化カルシウム（ｂ）の下限割合は０．４重量％である。実施例３と実施例４を検討すれば水の上限割合（ｃ）は３３．５重量％である。実施例１と実施例７を検討すれば水（ｃ）の下限割合は２８．２重量％である。蓄冷剤が７℃で液化開始する各組成物の割合は各組成物の上限〜下限内に存在する。
【００３６】
以上の結果により、本発明の蓄冷剤は６℃から１２℃の範囲における蓄熱効果に優れており、かつ、固化温度も３℃から７℃の範囲内にあることがわかる。また、塩化カルシウム（ｂ）を使用したことによって価格を安くすることができ、製造費用も安くできるものである。尚、実際に使用する際には、必要に応じて蓄冷剤の量を調節すれば蓄熱時間を変えることができる。
【００３７】
【発明の効果】
本発明の蓄冷剤は、人体や環境に対する安全性が高く、更には６℃から１２℃間の蓄熱効果が従来技術より優れており、また固化温度が３℃から７℃まで調節できることから、食品流通分野の他に、特に冷凍機―不凍液技術を利用しないチラーのみによる蓄冷剤の固化が可能であり、夜間電力を利用した空調システムに最適なものである。
【００３８】
また、塩化カルシウムを使用したことによって、安価で性能の良い蓄冷剤を提供できるものである。